(57)【要約】【課題】シールドをシートフレームに取り付ける作業によって、スイッチ装置の端子とコネクタとの電気的接続を同時に行うことができるとともに、そのときのシールドを押しつける力を利用して、端子とコネクタとを確実に接続することができるシートの電気的接続構造を提供する。【解決手段】シートの電気的接続構造１は、シートフレーム５と、シートフレームの座部の側方を覆うように配されるシールド７と、を備え、シールドには、端子１１をシートフレーム側に有するスイッチ装置９が取り付けられ、シートフレームには、端子と電気的に接続されるコネクタ１３が取り付けられている。また、シートフレームには、スイッチ装置をシートフレーム側に押しつけたときにその力の方向を逆方向に機械的に変換する変換機構１７が備えられており、その逆方向の力により、コネクタがスイッチ装置側に押し出されて、コネクタと端子とが電気的に接続される。【選択図】図３
2014136571.tif 000002
【特許請求の範囲】
【請求項１】
シートフレームと、
前記シートフレームの座部の側方を覆うように配されるシールドと、を備え、
前記シールドには、端子を前記シートフレーム側に有するスイッチ装置が取り付けられ、
前記シートフレームには、前記端子と電気的に接続されるコネクタが取り付けられており、
前記シートフレームには、前記スイッチ装置を前記シートフレーム側に押しつけたときにその力の方向を逆方向に機械的に変換する変換機構が備えられており、
その逆方向の力により、前記コネクタが前記シートフレームから離隔する方向の前記スイッチ装置側に押し出されて、前記コネクタと前記端子とが電気的に接続されることを特徴とするシートの電気的接続構造。
【請求項２】
前記変換機構は、第１支点と、前記第１支点から両側に延びる２つの第１腕部と、を備え、
前記スイッチ装置を前記シートフレーム側に押しつけたときの力を一の第１腕部が受けて動くことにより、他の第１腕部が動いて前記コネクタが押し出される請求項１に記載のシートの電気的接続構造。
【請求項３】
前記変換機構は、前記第１支点とは別の他の第２支点と、前記第２支点から両側に延びる２つの第２腕部と、を備え、
前記スイッチ装置を前記シートフレーム側に押しつけたときの力を一の第２腕部が受けて動くことにより、他の第２腕部が動いて、前記他の第１腕部と協働して、前記コネクタが押し出され、
前記他の第１腕部により押される第１作用点と、前記他の第２腕部により押される第２作用点と、は、離隔している請求項２に記載のシートの電気的接続構造。
【請求項４】
前記端子は、壁部により周りを囲まれている請求項１乃至３のいずれか一項に記載のシートの電気的接続構造。
【発明の詳細な説明】
【技術分野】
【０００１】
本発明は、シートの電気的接続構造に関する。更に詳しくは、簡易かつ確実に電気的接続を行うことができるシートの電気的接続構造に関する。
【背景技術】
【０００２】
従来、車両用シートにおいて、各部を電動でコントロール可能な電動シートが知られている。車両用電動シートとしては、例えば、シート座部の側方を覆うように配されるシールドに、シートコントロールの操作を行うためのスイッチ装置を取り付けてなるものが知られている（例えば、特許文献１参照）。
【先行技術文献】
【特許文献】
【０００３】
【特許文献１】特開平１１−１９８７０２号公報
【発明の概要】
【発明が解決しようとする課題】
【０００４】
上記特許文献１の場合、予めシールドに組み込まれたスイッチ装置からワイヤーハーネスを導出し、このワイヤーハーネスの先端に設けたコネクタをシート側のコネクタに接続するようにしている。この場合、コネクタの接続作業は、シールドを取り付ける作業とは別に行う必要があった。また、このようなコネクタの接続では、十分な差込が行われず、接続不良が発生してしまうことがあった。
【０００５】
本発明は、上記実情に鑑みてなされたものであり、簡易かつ確実に電気的接続を行うことができるシートの電気的接続構造を提供することを目的とする。
【課題を解決するための手段】
【０００６】
上記問題点を解決するために、請求項１に記載の発明は、シートフレームと、
前記シートフレームの座部の側方を覆うように配されるシールドと、を備え、
前記シールドには、端子を前記シートフレーム側に有するスイッチ装置が取り付けられ、
前記シートフレームには、前記端子と電気的に接続されるコネクタが取り付けられており、
前記シートフレームには、前記スイッチ装置を前記シートフレーム側に押しつけたときにその力の方向を逆方向に機械的に変換する変換機構が備えられており、
その逆方向の力により、前記コネクタが前記シートフレームから離隔する方向の前記スイッチ装置側に押し出されて、前記コネクタと前記端子とが電気的に接続されることを要旨とする。
【０００７】
請求項２に記載の発明は、請求項１において、前記変換機構は、第１支点と、前記第１支点から両側に延びる２つの第１腕部と、を備え、前記スイッチ装置を前記シートフレーム側に押しつけたときの力を一の第１腕部が受けて動くことにより、他の第１腕部が動いて前記コネクタが押し出されることを要旨とする。
【０００８】
請求項３に記載の発明は、請求項２において、前記変換機構は、前記第１支点とは別の他の第２支点と、前記第２支点から両側に延びる２つの第２腕部と、を備え、前記スイッチ装置を前記シートフレーム側に押しつけたときの力を一の第２腕部が受けて動くことにより、他の第２腕部が動いて、前記他の第１腕部と協働して、前記コネクタが押し出され、前記他の第１腕部により押される第１作用点と、前記他の第２腕部により押される第２作用点と、は、離隔していることを要旨とする。
【０００９】
請求項４に記載の発明は、請求項１乃至３のいずれか一項において、前記端子は、壁部により周りを囲まれていることを要旨とする。
【発明の効果】
【００１０】
本発明のシートの電気的接続構造によると、シールドには、端子をシートフレーム側に有するスイッチ装置が取り付けられており、シートフレームには、端子と電気的に接続されるコネクタが取り付けられている。そして、シートフレームには、スイッチ装置をシートフレーム側に押しつけたときにその力の方向を逆方向に機械的に変換する変換機構が備えられている。そして、逆方向の力により、コネクタがシートフレームから離隔する方向のスイッチ装置側に押し出されて、コネクタと端子とが電気的に接続されることを特徴とする。本発明では、スイッチ装置を取り付ける作業により、スイッチ装置の端子とコネクタとの電気的接続を同時に行うことができる。また、スイッチ装置をシートフレーム側に押しつける力とは逆向きの力が発生して、コネクタをスイッチ装置側に押し出すので、端子とコネクタとを確実に接続することができる。
【００１１】
また、変換機構が、第１支点と、第１支点から両側に延びる２つの第１腕部と、を備え、スイッチ装置をシートフレーム側に押しつけたときの力を一の第１腕部が受けて動くことにより、他の第１腕部が動いてコネクタが押し出される場合には、以下の作用効果を奏する。すなわち、この場合には、てこを使用することによって、スイッチ装置をシートフレーム側に押しつける力の向きを変換しているから、変換機構の構成を簡単にできる。
【００１２】
更に、変換機構が、第１支点とは別の第２支点と、第２支点から両側に延びる２つの第２腕部と、を備え、スイッチ装置をシートフレーム側に押しつけたときの力を一の第２腕部が受けて動くことにより、他の第２腕部が動いて、他の第１腕部と協働して、コネクタが押し出され、他の第１腕部により押される第１作用点と、他の第２腕部により押される第２作用点と、は、離隔している場合には、以下の作用効果を奏する。この場合には、離隔した複数の作用点によりコネクタが押し出されるから、コネクタの姿勢が安定しやすく、端子とコネクタとがより確実に接続される。
【００１３】
また、端子が壁部により周りを囲まれている場合には、端子が他の物体と衝突することを抑制できる。
【図面の簡単な説明】
【００１４】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るシートの電気的接続構造の配設例を示す斜視図である。
【図２】実施例に係るシートの電気的接続構造の配設例を示す拡大斜視図である。
【図３】実施例に係るシールドがシートフレームに取り付けられた状態を模式的に示す部分断面平面図である。
【図４】実施例に係るスイッチ装置とコネクタを説明するための説明図である。
【図５】実施例に係るシートの電気的接続構造の作用を説明するための説明図である。
【図６】実施例に係るシートの電気的接続構造の作用を説明するための説明図である。
【発明を実施するための形態】
【００１５】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１６】
本実施形態に係るシートの電気的接続構造（１）は、シートフレーム（５）と、シートフレームの座部の側方を覆うように配されるシールド（７）と、を備え、シールドには、端子（１１）をシートフレーム側に有するスイッチ装置（９）が取り付けられている。シートフレームには、端子と電気的に接続されるコネクタ（１３）が取り付けられている。シートフレームには、スイッチ装置をシートフレーム側に押しつけたときにその力の方向を逆方向に機械的に変換する変換機構（１７）が備えられており、その逆方向の力により、コネクタがシートフレームから離隔する方向のスイッチ装置側に押し出されて、コネクタと端子とが電気的に接続されることを特徴とする。
【００１７】
上記シールドは、通常、上記シートフレームに、クリップ、スナップフィット、ねじ止め等の簡易に係止可能な係止手段により係止される。
上記端子は、例えば、壁部（１５）により周りを囲まれていることができる（例えば、図３、図４等参照）。壁部は、端子の四方を囲んでいる形態（例えば、図４等参照）であってもよいし、端子の四方のうちの二方、又は三方を囲んでいる形態であってもよい。
【００１８】
本実施形態に係るシートの電気的接続構造としては、例えば、上記変換機構が、第１支点（１９）と、この第１支点から両側に延びる２つの第１腕部（２１，２３）と、を備え、上記スイッチ装置を上記シートフレーム側に押しつけたときの力を一の第１腕部が受けて動くことにより、他の第１腕部が動いて上記コネクタが押し出される形態を挙げることができる。
上記第１支点は、通常、上記シートフレームに対して固定的に配されている。
【００１９】
また、本実施形態に係るシートの電気的接続構造としては、例えば、上記変換機構が、上記第１支点とは別の他の第２支点（２５）と、この第２支点から両側に延びる２つの第２腕部（２７，２９）と、を備え、上記スイッチ装置を上記シートフレーム側に押しつけたときの力を一の第２腕部が受けて動くことにより、他の第２腕部が動いて、上記他の第１腕部と協働して、上記コネクタが押し出され、上記他の第１腕部により押される第１作用点（３１）と、上記他の第２腕部により押される第２作用点（３３）と、は、離隔している形態を挙げることができる。これら第２支点及び２つの第２腕部は、上記第１支点及び上記２つの第１腕部と同様の形態であることができる。
【実施例】
【００２０】
以下、図面を用いて、実施例により本発明を更に具体的に説明する。
（１）シートの電気的接続構造の構成
本実施例に係るシートの電気的接続構造１（以下、単に電気的接続構造１とも表記する）は、図１及び図２に示すように、各部を電動でコントロール可能なシート３の電気的接続構造である。電気的接続構造１は、シートフレーム５と、シートフレーム５の座部の側方を覆うように配されるシールド７と、を備えている。シールド７及びシートフレーム５は、シールド７を、シート３の側方からシートフレーム５の方向へ押し込むことにより、図示しない係止手段によって係止されるようになっている。
【００２１】
シートフレーム５はシート３の骨組である。図３及び図４に示すように、シートフレーム５は、シールド７が取り付けられる部分において部分的に湾曲して形成されている。この湾曲した部分の内側の空間には、後述するコネクタ及び変換機構が配されている。
シールド７には、図３に示すように、シート３の各部のコントロールの操作を行うためのスイッチ装置９が取り付けられている。このスイッチ装置９は、シールド７のシートフレーム５への取付面側に配されている。また、スイッチ装置９は２つの操作ノブを有している。スイッチ装置９は、これら操作ノブがシールド７の意匠面側に露出するように設けられている。
【００２２】
スイッチ装置９は端子１１を有している。端子１１は、スイッチ装置９のシートフレーム５側の面に配されている。本実施例において、端子１１は、図３及び図４に示すように、壁部１５により周りを囲まれている。
シートフレーム５には、端子１１と電気的に接続されるコネクタ１３が設けられている。コネクタ１３は、端子１１との接続方向へ移動自在にシートフレーム５に支持されている。
【００２３】
また、図３に示すように、シートフレーム５には変換機構１７が備えられている。変換機構１７は、スイッチ装置９をシートフレーム５側に押しつけたときに、その力の方向を逆方向に機械的に変換する。本実施例に係る電気的接続構造１では、この変換機構１７により変換された逆方向の力により、コネクタ１３がシートフレーム５から離隔する方向のスイッチ装置９側に押し出されて、コネクタ１３と端子１１とが電気的に接続される。
【００２４】
本実施例において、変換機構１７は、てこの原理を利用した機構である。図３に示すように、変換機構１７は、第１支点１９と、第１支点１９から両側に延びる２つの第１腕部２１，２３と、を備えている。第１腕部２１，２３は、一方の第１腕部２１が直線状に形成されているとともに、他方の第１腕部２３が鉤状に屈曲して形成されている。一方の第１腕部２１は、スイッチ装置９を押しつけたとき力を受けて動くようになっており、他方の第１腕部２３は、第１支点１９を挟んだ一方の第１腕部２１の反対側で、一方の第１腕部２１の動きに応じて動き、シートフレーム５から離隔する方向へコネクタ１３を押し出すように作用する。第１腕部２３は、コネクタ１３を円滑に押し出せるように、その先端が丸められている。
【００２５】
また、変換機構１７は、これら第１支点１９及び第１腕部２１，２３と同様の構成の第２支点２５及び第２腕部２７，２９を備えている。図３に示すように、変換機構１７は、第１支点１９及び第１腕部２１，２３と、第２支点２５及び第２腕部２７，２９と、が面対称に配されるように設けられている。変換機構１７は、第１腕部２３の押す力が作用する第１作用点３１と、第２腕部２９の押す力が作用する第２作用点３３と、が、互いに離隔する位置となるように設定されている。コネクタ１３は、第１作用点３１及び第２作用点３３の協働により押し出されるようになっている。
【００２６】
また、変換機構１７には、スイッチ装置９をシートフレーム５側に押しつけたときの力を一方の第１腕部２１及び一方の第２腕部２７にそれぞれ伝達する伝達部材３５，３７を備えている。伝達部材３５，３７は、コネクタ１３の移動方向と略平行な方向に移動自在にシートフレーム５に支持されている。図３及び図４に示すように、伝達部材３５，３７は、コネクタ１３の両側方にそれぞれ配されている。伝達部材３５，３７は、スイッチ装置９をシートフレーム５側に押しつけたときの力を、壁部１５から受けるようになっている。また、伝達部材３５，３７は、第１腕部２１側及び第２腕部２７側の先端が、第１腕部２１及び第２腕部２７を円滑に押し出せるように丸められている。
【００２７】
また、本実施例において、コネクタ１３は、カバー部材３９によりその背面及び両側面を覆われている。このため、本実施例では、第１腕部２３及び第２腕部２９は、このカバー部材３９を押すことでコネクタ１３を押し出すようになっている。従って、本実施例において、第１作用点３１及び第２作用点３３は、このカバー部材３９の背面に設定されている。具体的には、第１作用点３１及び第２作用点３３は、カバー部材３９の背面の中心から、コネクタ１３の移動方向に対して略直交する方向へ、同じ距離だけ離れた位置にそれぞれ設定されている。
【００２８】
（２）シートの電気的接続構造の作用
次に、上記構成のシートの電気的接続構造１の作用について説明する。
本実施例に係るシートの電気的接続構造１では、シールド７をシートフレーム５に取り付けることにより、シールド７に取り付けられたスイッチ装置９の端子１１と、シートフレーム５に取り付けられたコネクタ１３と、の接続が行われる。この電気的接続を行うに際しては、最初に、シールド７をシートフレーム５の取り付け位置に合わせる。このシールド７の位置合わせ作業において、端子１１は壁部１５により周りを囲まれていることから、端子１１がシートフレーム５の周辺の構造物と干渉して破損しまうことが回避されている。
【００２９】
次に、図５に示すように、位置合わせを行ったシールド７を、シートフレーム５側へ押し込む。すると、図６に示すように、壁部１５により伝達部材３５，３７が押し込まれるとともに、伝達部材３５，３７がその押し込み力を伝達して、一方の第１腕部２１及び一方の第２腕部２７が押し込まれる。一方の第１腕部２１及び一方の第２腕部２７が押し込まれると、第１支点１９及び第２支点２５をそれぞれ支点とするてこの作用により、他方の第１腕部２３及び他方の第２腕部２９が動く。コネクタ１３は、カバー部材３９を介して、第１腕部２３及び第２腕部２９によりシートフレーム５から離隔する方向へ押し出される。なお、このとき、第１腕部２３の作用点となる第１作用点３１と、第２腕部２９の作用点となる第２作用点３３と、は離隔しており、コネクタ１３は安定的に押し出されるようになっている。
そして、シールド７を更に押し込み、シールド７のシートフレーム５への取り付けが完了すると、端子１１とコネクタ１３との電気的接続も完了する（図３）。
このようにして、本実施例では、スイッチ装置９をシートフレーム５側に押しつけたときの力を利用して確実な電気的接続が行われる。
【００３０】
（３）実施例の効果
以上より、本実施例のシートの電気的接続構造１では、シールド７には、端子１１をシートフレーム５側に有するスイッチ装置９が取り付けられており、シートフレーム５には、端子１１と電気的に接続されるコネクタ１３が取り付けられている。そして、シートフレーム５には、スイッチ装置９をシートフレーム５側に押しつけたときにその力の方向を逆方向に機械的に変換する変換機構１７が備えられている。そして、逆方向の力により、コネクタ１３がシートフレーム５から離隔する方向のスイッチ装置９側に押し出されて、コネクタ１３と端子１１とが電気的に接続される。このため、スイッチ装置９を取り付ける作業により、スイッチ装置９の端子１１とコネクタ１３との電気的接続を同時に行うことができる。また、スイッチ装置９をシートフレーム５側に押しつける力とは逆向きの力が発生して、コネクタ１３をスイッチ装置９側に押し出すので、端子１１とコネクタ１３とを確実に接続することができる。
【００３１】
また、本実施例では、変換機構１７が、第１支点１９と、第１支点１９から両側に延びる２つの第１腕部２１，２３と、を備え、スイッチ装置９をシートフレーム５側に押しつけたときの力を一方の第１腕部２１が受けて動くことにより、他方の第１腕部２３が動いてコネクタ１３が押し出される。このように、てこを使用することによって、スイッチ装置９をシートフレーム５側に押しつける力の向きを変換しているから、変換機構１７の構成を簡単にできる。
【００３２】
更に、本実施例では、変換機構１７が、第１支点１９とは別の第２支点２５と、第２支点２５から両側に延びる２つの第２腕部２７，２９と、を備え、スイッチ装置９をシートフレーム５側に押しつけたときの力を一方の第２腕部２７が受けて動くことにより、他方の第２腕部２９が動いて、他方の第１腕部２３と協働して、コネクタ１３が押し出され、他方の第１腕部２３により押される第１作用点３１と、他方の第２腕部２９により押される第２作用点３３と、は、離隔している。このように、離隔した複数の作用点によりコネクタ１３が押し出されるから、コネクタ１３の姿勢が安定しやすく、端子１１とコネクタ１３とがより確実に接続される。
【００３３】
また、本実施例では、端子１１が壁部１５により周りを囲まれているので、取り付け時や搬送時、保管時などにおいて、端子１１が他の物体と衝突することを抑制できる。
【００３４】
更に、本実施例では、シールド７とシートフレーム５の間にワイヤーハーネスを配索しない構成とすることができるので、電気的接続構造を簡易なものにできるとともに、シールド７とシートフレーム５の間におけるワイヤーハーネスの断線、短絡等の発生の可能性を排除することができる。      
【００３５】
尚、本発明においては、上記の具体的な実施例に示すものに限られず、目的、用途に応じて本発明の範囲内で種々変更した実施例とすることができる。即ち、上記実施例では、スイッチ装置９の端子１１の周りを囲む壁部１５を設け、この壁部１５が伝達部材３５，３７を押し込むことにより、一方の第１腕部２１及び一方の第２腕部２７がその力を受けるようにしたが、これに限定されず、例えば、伝達部材３５，３７を設けず、壁部１５により一方の第１腕部２１及び一方の第２腕部２７を直接押し込むようにしたり、また、壁部１５を設けず、スイッチ装置９の壁面で直接伝達部材３５，３７（又は一方の第１腕部２１及び一方の第２腕部２７）を押し込むようにしたりしてもよい。
【００３６】
また、上記実施例では、スイッチ装置９の壁部１５により押し込む力を伝達する形態を例示したが、これに限定されず、例えば、シールド７により押し込む力を伝達する形態であってもよい。
【００３７】
更に、上記実施例では、コネクタ１３をカバー部材３９で覆う形態を例示したが、これに限定されず、例えば、カバー部材を設けない形態であってもよい。
【００３８】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３９】
本発明は上記で詳述した実施形態に限定されず、本発明の請求項に示した範囲で様々な変形または変更が可能である。
【符号の説明】
【００４０】
１；シートの電気的接続構造、３；シート、５；シートフレーム、７；シールド、９；スイッチ装置、１１；端子、１３；コネクタ、１５；壁部、１７；変換機構、１９；第１支点、２１，２３；第１腕部、２５；第２支点、２７，２９；第２腕部、３１；第１作用点、３３；第２作用点、３５，３７；伝達部材、３９；カバー部材。
【図１】
2014136571.tif 000003
【図２】
2014136571.tif 000004
【図３】
2014136571.tif 000005
【図４】
2014136571.tif 000006
【図５】
2014136571.tif 000007
【図６】
2014136571.tif 000008